(57)【要約】【課題】本発明は、遺骨収納体の出し入れを容易に行えると共に、当該作業を行う際の遺骨収納体の毀損にも十分配慮された納骨室を提供する。【解決手段】本発明に係る納骨室１０は、開口域を有する側周壁１１０、底壁１２０、前記開口域の閉塞部１３０、遺骨収納体６０の載置台座部１５０を含み、底壁１２０は、台座部１５０を回転支持する回転支持手段１２１を含み、側周壁１１０の内側面は、台座部１５０の周縁形状に対応するよう湾曲し、側周壁１１０の内側面は、台座部１５０の周縁に近接した状態で配置される。【選択図】  図３
2018119384.tif 000002
【特許請求の範囲】
【請求項１】
開口域を有する側周壁と、側周壁の下端側に位置する底壁と、側周壁の前記開口域を塞ぐよう着脱可能に取り付けられる閉塞部と、を含む納骨室であって、
複数の遺骨収納体を載置可能な円板状の台座部と、
を更に含み、
底壁は、台座部を回転可能に支持する回転支持手段を含み、
側周壁の内側面は、台座部の周縁形状に対応するよう湾曲し、
側周壁の内側面は、台座部の周縁に近接した状態で配置される、
納骨室。
【請求項２】
納骨室の側周壁は、
室外側に設置される外側部と、
外側部の室内側に設置される少なくとも一つの内設部と、
を含み、
内設部は、外側部と台座部との間に形成される間隙内に設置される、
請求項１に記載の納骨室。
【請求項３】
内設部は、外側部と台座部との間に形成される間隙内に着脱可能に設置される、
請求項２に記載の納骨室。
【請求項４】
台座部に取り付けられると共に、台座部上の遺骨収納体載置領域を区分けする仕切り部を更に含む、
請求項１から３のいずれか一項に記載の納骨室。
【請求項５】
遺骨収納体を収納する納骨室を含む墓構造であって、
納骨室が、請求項１から４のいずれか一項に記載の納骨室である、
墓構造。
【請求項６】
納骨室が、地上側に配置される、
請求項５に記載の墓構造。
【発明の詳細な説明】
【技術分野】
【０００１】
本発明は、納骨室及びこれを含む墓構造に関する。
【背景技術】
【０００２】
人口の都市集中化等に伴い、都市部及びその近郊地域に立地する墓地又は霊園（以下、「墓地等」と言う。）への需要が、特に高まっている。この需要の高まりに応えるため、墓の省スペース化が図られており、墓地等の敷地内により多くの墓を立設することが従来から実施されている。省スペース化が可能な墓の一例として、これまで地下に埋設していた納骨室を地上側に配置する、いわゆる丘カロート型の墓構造が挙げられる。
【０００３】
丘カロート型の墓構造は、地面上に設置された納骨室の上方に重ねて竿石などの墓石が設けられる構造であるため、墓全体の奥行きや幅寸法を少なくすることができる。また、隣り合う墓同士の隙間（空間）が極力生じない状態で、複数の丘カロート型の墓構造を並設することができる。
【０００４】
また、近年では、例えば永代供養用の墓として、外観の上で一の墓であるが、多くの遺骨（骨壺）を収納可能なように、納骨室内を複数の領域に区分けするものが実施されている。納骨室内には、生前の関係性に関わらない骨壺群が収納される。その例として、下記の特許文献１に記載の技術が開示されている。
【０００５】
ただし、墓の需要は益々増加しており、特許文献１に記載されるような複数の遺骨（骨壺）を収納可能な墓に関しても、更なる省スペース化が求められている。通常、上記の墓において、納骨室の上蓋部を取り外して内部への骨壺収納を行う。しかし、墓の更なる省スペース化を行うとなると、物理的に上蓋部方向からのアクセス空間（作業者の手を差伸可能な空間）が限られるようになる。それに伴い、納骨室に骨壺を出し入れする作業の負担が増加する。このような状況下、例えば、下記特許文献２から４のような、納骨室の前方側を開口し、そこから骨壺を出し入れする構造が提案されている。ここで、当該構造の墓において、骨壺の出し入れを容易に行うことを目的として、納骨室内に配置される骨壺載置台を回転させる手段が採用されている。
【０００６】
具体的に、まず特許文献２に記載された技術は、納骨室本体の内部に、納骨室の上面部及び下面部の間を支持する支持軸を有する補強部材が配置され、この補強部材の支持軸の周囲に納骨壺を配置する回転自在な棚板が設けられる納骨室構造に関する。特許文献２に記載の技術によれば、回転自在な棚板が設けられることにより、納骨壺の収納を容易に行うことができる。
【０００７】
また、特許文献３に記載された技術は、納骨室と、納骨室内に設置され、複数の骨壺を載置する載置面を有し、載置面の一部が納骨用開口に近接するように載置面を鉛直中心軸回りに自在に回動させる回転台装置と、を備える墓構造に関する。特許文献３に記載の技術によれば、回転台装置が設けられることにより、納骨室内への骨壺の出し入れの作業性を向上させることができる。
【０００８】
また、特許文献４に記載された技術は、一端に開口を有する横穴形の納骨室と、開口を出入し得る底板と、納骨室の開口を閉止し得る開き戸状の蓋体と、底板と蓋体の双方に枢支される連結具を備え、複数の骨壺が載る安置台が底板に対して回転可能に設けられるカロードに関する。特許文献４に記載の技術によれば、回転可能な安置台が設けられることで、安置台に載せた骨壺を納骨室の奥側へ容易に送り込むことができる。
【先行技術文献】
【特許文献】
【０００９】
【特許文献１】特開２０１５−１５１６８９号公報
【特許文献２】特開２０１１−５５８４４号公報
【特許文献３】実用新案登録第３１５２７４４号公報
【特許文献４】実用新案登録第３１００５５３号公報
【発明の概要】
【発明が解決しようとする課題】
【００１０】
しかしながら、特許文献２に記載の技術は、納骨室に別途補強部材を設ける必要があると共に、棚板が補強部材の支持軸に取り付けられ、支持軸の回転に応じて棚板も回転する構造である。そのため、多くの構成部材が必要であると共に、構造が複雑であるという課題を有する。
【００１１】
また、特許文献３に記載の技術において、回転台装置の直径が、納骨室の横幅に比べて小さいため、納骨室の側壁と回転台装置との間に大きな隙間が生じる。そのため、回転台装置が回転すると、回転台装置に載置される骨壺は、遠心力によって回転台装置の外方へ押し出され、納骨室の側壁と回転台装置との間の隙間に向かって移動する。回転台装置には、骨壺の更なる外方への移動を阻止する手段が施されていないため、最終的に骨壺は、納骨室の底に落下する、あるいは納骨室の側壁に衝突するなどして破損する。すなわち、特許文献２に記載の技術は、骨壺の破損を防ぐ観点において課題を有する。
【００１２】
また、特許文献４に記載の技術において、上記した特許文献３に記載の技術と同様に、納骨室を形成する脇石や後壁と、安置台との間に隙間が生じる。そのため、安置台が回転し、これに載置される骨壺に遠心力が生じた場合、骨壺が上記隙間から納骨室の底に落下する、あるいは納骨室の脇石や後壁に衝突するなどして破損する。更に、特許文献３に記載の技術は、底板と蓋体の双方に枢支される連結具を含むなど、複雑な構造を有する。
【００１３】
上記課題に鑑み、本発明は、簡易な構造であることから、作製に過大なコストが掛からず、且つ容易に骨壺等の遺骨収納体の出し入れを行うことが可能な納骨室を提供する。また、本発明は、納骨室内に位置する遺骨収納体の毀損に十分配慮された納骨室を提供する。更に、本発明は、上記納骨室を含む墓構造を提供する。
【課題を解決するための手段】
【００１４】
本発明に係る納骨室は、
開口域を有する側周壁と、側周壁の下端側に位置する底壁と、側周壁の前記開口域を塞ぐよう着脱可能に取り付けられる閉塞部と、を含む納骨室であって、
複数の遺骨収納体を載置可能な円板状の台座部と、
を更に含み、
底壁は、台座部を回転可能に支持する回転支持手段を含み、
側周壁の内側面は、台座部の周縁形状に対応するよう湾曲し、
側周壁の内側面は、台座部の周縁に近接した状態で配置されることを特徴とする。
【００１５】
また、本発明に係る納骨室は、
納骨室の側周壁は、
室外側に設置される外側部と、
外側部の室内側に設置される少なくとも一つの内設部と、
を含み、
内設部は、外側部と台座部との間に形成される間隙内に設置されることが好ましい。
このとき、内設部は、着脱可能な状態で設置されることが更に好ましい。
【００１６】
更に、本発明に係る納骨室は、
台座部に取り付けられると共に、台座部上の遺骨収納体載置領域を区分けする仕切り部を更に含むことが好ましい。
【００１７】
また、本発明に係る墓構造は、
前記納骨室を含むことを特徴とする。
【００１８】
更に、本発明に係る墓構造は、
納骨室が、地上側に配置されることが好ましい。
【発明の効果】
【００１９】
本発明は、納骨室の底壁に備わる回転支持手段によって、骨壺等の遺骨収納体を載置する台座部が、底壁上に回転可能に配置される構成である。そのため、本発明によれば、簡易な構造によって台座部を回転可能な状態とすることができる。その結果、本発明によれば、過度な作製コストが掛からず、納骨室の側周壁に設けられた開口域から遺骨収納体の出し入れを容易に行うことができる。
【００２０】
それに加えて、本発明は、納骨室側周壁の内側面が、台座部の周縁形状に対応するよう湾曲すると共に、側周壁の内側面と台座部の周縁とが各々近接する構成である。そのため、台座部が回転し、これに載置される遺骨収納体が遠心力で台座部の外方（径方向外側）に向かって移動した場合であっても、側周壁の内側面によって、遺骨収納体の台座部外方への更なる移動が阻止される。従って、本発明によれば、出し入れ及びその付帯作業の際などの遺骨収納体の毀損に十分配慮された納骨室を提供できる。
【００２１】
また、本発明によれば、上記特徴を有する納骨室を含む墓構造を提供できる。
【図面の簡単な説明】
【００２２】
【図１】本実施形態に係る墓構造１の外観斜視図。
【図２】本実施形態に係る納骨室１０の外観斜視図。
【図３】本実施形態に係る納骨室１０の内部分解斜視図。
【図４】本実施形態に係る納骨室１０の内部平面図
【図５】本実施形態に係る納骨室１０へ遺骨収納体６０を収納する際の動作説明図。
【図６】本実施形態の変形例に係る納骨室１０’の内部分解斜視図。
【図７】本実施形態の変形例に係る納骨室１０’の内部平面図。
【発明を実施するための形態】
【００２３】
以下、図面を参照して本発明の望ましい実施形態を詳細に説明する。但し、本発明は多くの異なる態様で実施することが可能であり、以下に示す実施の形態の記載内容に限定して解釈されるものではない。
【００２４】
［墓構造１］
まず、図１を参照して、本発明の一実施形態に係る墓構造１の詳細を説明する。ここで、図１は、墓構造１の外観斜視図である。図１に示されるように、墓構造１は、納骨室１０、墓碑部２０を含む。
【００２５】
本実施形態における墓構造１は、いわゆる丘カロート型であることが好ましい。すなわち、納骨室１０は、地上側に配置されることが好ましい。納骨室１０内には、後述するように、少なくとも一つ以上の遺骨が収納される。遺骨は、例えば骨壺のような遺骨収納体に収納された状態で、納骨室１０内に配されることが好ましい。なお、納骨室１０の詳細は、後述する。
【００２６】
墓碑部２０は、納骨室１０内に納められる遺骨の戒名等の墓碑銘を表示するものである。本実施形態において墓碑部２０は、奥行きに比べて幅が広い略直方体の形状である。また、墓碑部２０の前面部は、上方に行くに従い奥行き方向へ傾く傾斜面を有する（墓碑銘は、当該傾斜面に表示される。）。更に、墓碑部２０は、任意に配置される墓碑部用台石３０上に立設されている。ただし、墓碑部２０の形状や配置は、これに限られるものではない。
【００２７】
なお、本実施形態に係る墓構造１の納骨室１０、墓碑部２０、及びその他の構成要素（墓墓碑部用台石３０等）は、外観、耐久性、堅牢性、及び従来慣習等の観点から石材であることが好ましいが、これに限られるものではない。また、図１に示されるように、墓構造１は、花立部４０、香炉部５０など他の構成要素を含むものであってもよい。
【００２８】
［納骨室１０（基本例）］
次に、図２から図４を用いて、本実施形態に係る納骨室１０の詳細を説明する。ここで、図２は、納骨室１０の外観斜視図である。また、図３は、納骨室１０の内部を示す分解斜視図（ただし、後述する上壁１４０は省略）である。更に、図４は、納骨室１０の内部平面図（上壁１４０を取り外した状態の納骨室１０の平面図）である。
【００２９】
図２及び図３に示されるように、納骨室１０は、側周壁１１０、底壁１２０、前壁１３０、及び上壁１４０を含む。これらの部材によって、納骨室１０の外形が形成される。また、納骨室１０は、複数の遺骨収納体６０を載置可能な円板状の台座部１５０を更に含む。
【００３０】
本実施形態において、側周壁１１０は、平面視において前方が開口する略コの字型形状の石材によって構成され、納骨室１０の左右両側面及び背面を形成する。このとき、側周壁１１０によって区画される領域内には、遺骨収納体６０（例えば、骨壺）を収納するための空域１７０が形成される。図４に示されるように、遺骨収納体６０は、台座部１５０に載置された状態で、空域１７０内に収められる。
【００３１】
ただし、側周壁１１０の形状、構造、素材等は、上記に限定されるものではない。他の側周壁１１０として、例えば、直角状の屈曲角部を有さない平面視Ｕ字状、Ｖ字状、Ｃ字状等の外形を奏するものが挙げられる。また、上記のように、本実施形態における側周壁１１０は、略コの字型形状を有する一の石材であるが、構成はこれに限られるものではない。例えば、側周壁１１０は、納骨室１０の左側面、右側面、背面のそれぞれに対応する３つの平板状の石材を含み、これらが、各端部などの所定箇所でそれぞれ接続されるような構成等であってもよい。
【００３２】
図３に示されるように、側周壁１１０の前方側は、開口している（この開口部分を、以下「開口域」と言う場合がある。）。遺骨収納体６０は、この開口域を通じて納骨室１０の空域１７０に出し入れされる。ただし、遺骨収納体６０の出し入れが行われない際、開口域は、着脱可能な状態で取り付けられる前壁１３０によって塞がれる。なお、上記のように、前壁１３０は、開口域を塞ぐ機能を有することから、以後これを「閉塞部１３０」と言う場合がある。
【００３３】
ただし、側周壁１１０に設けられる開口域の設置箇所や個数は、これに限られるものではない。例えば、開口域が、側周壁１１０の前面側とは異なる箇所（例えば、側周壁１１０の背面側や側面側などの所定箇所）に設けられてもよい。また、側周壁１１０の開口域は一つであるが、複数であってもよく、側周壁１１０に設けられる開口域の個数はこれに限られない。
【００３４】
図３及び図４に示されるように、側周壁１１０の内側面１１０ｂは、壁の厚さ方向外側（室外側）に窪むよう湾曲する。より詳しくは、後述するように、台座部１５０は、複数の遺骨収納体６０を載置可能な円板状の部材であるところ、側周壁１１０の内側面１１０ｂが、台座部１５０における周縁１５１の形状（以下、これを単に「周縁形状」と言う場合がある。）に対応するよう湾曲する。
【００３５】
ここで、上記内側面１１０ｂの湾曲において、台座部１５０の周縁形状に「対応する」とは、内側面１１０ｂが、台座部周縁１５１と同じ曲率で湾曲することを含むことはもちろん、異なる曲率であっても、台座部周縁１５１の突出方向に合わせて窪む場合を含む。また、上記内側面１１０ｂは、単一曲率の湾曲部のみによって構成されていてもよいし、異なる曲率の湾曲部を適宜繋ぎ合わせるような構成であってもよい。
【００３６】
更に、側周壁１１０の内側面１１０ｂは、台座部１５０の周縁１５１に近接した状態で配置される。ここで、上記「近接」した状態には、側周壁１１０の内側面１１０ｂと、台座部１５０の周縁１５１とが、接触したと同視できる程度まで近づく状態が含まれることはもちろん、各々の間隙が数ｃｍ程度形成されたとしても、台座部１５０に載置された遺骨収納体６０が当該間隙内に落下しない程度の状態も含まれる。
【００３７】
次に、本実施形態における底壁１２０は、図３に示されるように、側周壁１１０の下端側に配置され、納骨室１０の底面を形成する部材である。上記した台座部１５０は、底壁１２０に対向するよう配置される。本実施形態において底壁１２０の素材は石材であるが、これに限られるものではない。
【００３８】
また、図３に示されるように、底壁１２０は、台座部１５０を回転可能に支持する回転支持手段１２１を含む。本実施形態における回転支持手段１２１は、台座部１５０との対向面（本実施形態においては、底壁１２０の上面）上に設けられることが好ましい。本実施形態における回転支持手段１２１は、周線状の溝部１２１１と、溝部１２１１内に配置される複数のボール部１２１２とを含む。複数のボール部１２１２の全ては、溝部１２１１内に摺動可能に収容される。収容されたボール部１２１２の移動は、溝部１２１１によってガイドされる。
【００３９】
同様に、台座部１５０は、底壁１２０との対向面（本実施形態においては、台座部１５０の裏面）上に、上記複数のボール部１２１２を収容可能な周線状の溝部（図示しない）を備える。台座部１５０の上記溝部と、回転支持手段１２１のボール部１２１２とは、各々接触した状態となる。すなわち、底壁１２０と対向する台座部１５０は、ボール部１２１２に支持された状態となる。
【００４０】
上記のように、台座部１５０と接触する複数のボール部１２１２は、転がり可能な状態で周線形状の溝部１２１１に沿って配列される。従って、複数のボール部１２１２に接触する台座部１５０に対して平面視周方向に力を加えたとしても、スムースに台座部１５０を回転させることができる。また、本実施形態で示す回転支持手段１２１によれば、例えば、台座部回動のための軸部材、軸の支持手段、軸の駆動手段、その他の付帯装置などの複雑な構造を採用する必要がない。そのため、本実施形態によれば、このような簡易な構造によって、台座部１５０を回転支持させることができるため、製作面におけるコストを低減させることができる。ただし、回転支持手段１２１は、台座部１５０を回転可能に支持するものであれば、上記に限定されるものではない。
【００４１】
また、本実施形態によれば、上記のように、側周壁１１０の内側面１１０ｂが、台座部１５０の周縁形状に対応するよう湾曲すると共に、側周壁１１０の内側面１１０ｂと台座部１５０の周縁１５１とが各々近接した状態となっている。従って、回転支持手段１２１に支持された台座部１５０が回転し、これに載置される遺骨収納体６０が遠心力で台座部１５０の外方に向かった場合であっても、側周壁１１０の内側面１１０ｂによって、遺骨収納体６０の台座部１５０外方への更なる移動が阻止される。これにより、遺骨収納体６０が台座部１５０から落下し毀損するなどの事態を防止することができる。
【００４２】
台座部１５０は、図４に示されるように、遺骨収納体６０の載置領域を区分けするための仕切り部１５２を更に備えることが好ましい。仕切り部１５２を設けることで、台座部１５０に載置された複数の遺骨収納体６０を、例えば、血縁関係によって分類する、飼い主とペットなどの生前密接な関係性の有り無しで分類する等、所定の観点で適切に区分けすることができる。
【００４３】
本実施形態における仕切り部１５２は、図３に示されるように、台座部１５０の表面に設けられた凹所１５３に嵌合可能な凸所１５４を備える。仕切り部１５２の凸所１５４が、台座部１５０の凹所１５３に嵌合することで、仕切り部１５２が、台座部１５０に係合される。このような、本実施形態で示す仕切り部１５２及びこの係合手段（本実施形態における凹所１５３、凸所１５４）によれば、台座部１５０の凹所及び仕切り部１５２の凸所を設け、凸所を凹所に嵌め込むのみの簡易な作業で双方を係合させることができる。従って、製作面におけるコストを低減させることができる。ただし、台座部１５０における仕切り部１５２の係合手段は、これに限定されるものではない。
【００４４】
次に、図５を用いて、納骨室１０内への遺骨収納体６０の収納動作を説明する。まず、図５（ａ）に示されるように、側周壁１１０の前方側に取り付けられた閉塞部１３０を例えば矢印５１に示す方向に移動する。これにより、側周壁１１０の開口域が露出すると共に、納骨室１０内が視認可能な状態となる。
【００４５】
次に、図５（ｂ）に示されるように、台座部１５０における遺骨収納体６０を収納可能な領域（図５に示される台座部１５０上の領域Ａ、Ｂ、Ｃ、Ｄ）が、前記開口域と対向するまで、台座部１５０を例えば矢印５２に示す方向に回転させる。その後、台座部１５０上の当該領域に、新たに納める遺骨収納体６０を載置する。
【００４６】
ここで、例えば、矢印５２で示される台座部１５０の回転動作が生じた場合、台座部１５０の周縁１５１付近に載置された遺骨収納体６０は、回転の遠心力によって台座部１５０の径方向外側（台座部１５０の外方）へ更に移動することが生じ得る。しかしながら、上記のように、本実施形態によれば、側周壁１１０の内側面１１０ｂが、台座部１５０の周縁形状に対応するよう湾曲すると共に、側周壁１１０の内側面１１０ｂと台座部１５０の周縁１５１とが各々近接した状態であるため、移動した遺骨収納体１６０が、内側面１１０ｂに当接する。すなわち、台座部１５０外方への遺骨収納体６０の更なる移動が阻止される。これにより、遺骨収納体６０が、台座部１５０から落下するなどの事態を防ぐことができる。
【００４７】
最後に、図５（ｃ）に示されるように、閉塞部１３０を例えば矢印５４の方向に移動し、側周壁１１０の開口域近傍に取り付ける。これによって、開口域を閉塞させる。以上のステップによって、納骨室１０内へ遺骨収納体６０が収納される。
【００４８】
これに対して、既に納骨室１０に収納された遺骨収納体６０を取り出すための動作は、下記の通りである。すなわち、まず、側周壁１１０の前方側に取り付けられた閉塞部１３０を移動する（取り外す）。次に、取り出したい遺骨収納体６０が、前記開口域と対向する位置に到達するまで、台座部１５０を回転させる。所望の遺骨収納体６０を取り出した後、閉塞部１３０を元の位置に戻す。最終的に、開口域を塞ぐよう、側周壁１１０の前方側に閉塞部１３０を取り付ける。
【００４９】
上記のように、納骨室１０の内部構造は、非常に簡易であると共に、遺骨収納体６０を載置する台座部１５０の回転構造（回転支持手段１２１）も非常にシンプルである。そのため、過度な作製コストが生じないことはもちろん、遺骨収納体６０の出し入れを容易に行うことができる。
【００５０】
［納骨室１０’（変形例）］
次に、図６から図７を用いて、上記した本実施形態の変形例を説明する。ここで、図６は、本変形例に係る納骨室１０’の内部を示す分解斜視図（ただし、上壁１４０は省略）である。また、図７は、本変形例に係る納骨室１０’の内部平面図（上壁１４０を取り外した状態の納骨室１０’の平面図）である。なお、前述した本実施形態の基本例（図１から図５を用いて説明した納骨室１０）と同一の部分に関しては、同一の符号を付し、特段の説明を省略する。
【００５１】
具体的に、本実施形態に係る基本例と変形例との相違は、側周壁１１０に関する部分である。図６及び図７に示されるように、変形例に係る側周壁１１０は、納骨室１０’の室外側（壁の厚み方向外側）に設置される外側部１１１と、外側部１１１に対して室内側（壁の厚み方向内側）に設置される少なくとも一つの内設部１１２を含む（図６及び図７に示される本変形例において、内設部１１２の個数は２つである。）。
【００５２】
本変形例における外側部１１１は、平面視において前方が開口する略コの字型形状の部材によって構成されると共に、側周壁１１０の外側面１１０ａの全てを含んでいる。すなわち、外側部１１１は、側周壁１１０における室外側の最外部に対応する。
【００５３】
図６及び図７に示されるように、外側部１１１は、平板状の前端部１１１ａを有する。ところで、遺骨収納体６０を載置する台座部１５０は、円板状であるため、外側部１１１の前端部１１１ａと台座部１５０の周縁１５１との間に、遺骨収納体６０が落下可能な程度の間隙が生じ得る。そのような遺骨収納体６０の落下を防ぐため、外側部１１１の前端部１１１ａと台座部１５０の周縁１５１との間に形成される間隙内に、内設部１１２が設置される。本変形例において、内設部１１２は、柱状のブロック型石材である。ただし、内設部１１２の形状や素材等は、これに限定されるものではない。
【００５４】
本変形例において、外側部１１１の前端部１１１ａと台座部１５０の周縁１５１との間に形成される間隙域は、外側部１１１の前端部１１１ａ近傍のみである。しかしながら、外側部１１１の形状が、湾曲内側面を有さない場合（完全なコの字形状の場合）、周縁１５１の周囲全てに渡って当該間隙域が形成され得る。この場合、内設部１１２の数を増やして全ての間隙域を埋める、あるいは、図６及び図７に示される内設部１１２とは異なる適切な形状の内設部を配置し、間隙域を埋めるなどの手段が考えられる。
【００５５】
上記基本例で説明した側周壁の内側面１１０ｂに対応する本変形例の箇所は、外側部１１１の内側面１１０ｂ１及び内設部１１２の内側面１１０ｂ２である。なお、上記のように、台座部周縁１５１の周囲全てに間隙が形成される場合、側周壁の内側面１１０ｂに対応する本変形例の箇所は、内設部１１２の内側面１１０ｂ２のみとなる。
【００５６】
本実施形態の基本例と同様に、本変形例において、外側部１１１の内側面１１０ｂ１及び内設部１１２の内側面１１０ｂ２の各々は、壁の厚さ方向外側（室外側）に湾曲する。より詳しくは、上記各内側面１１０ｂ１及び１１０ｂ２は、台座部１５０における周縁形状に対応するよう湾曲する。なお、上記「対応する」の示す意味に関しては、上記基本例の場合と同様である。
【００５７】
また、本実施形態の基本例の場合と同様に、本変形例における上記各内側面１１０ｂ１及び１１０ｂ２は、台座部１５０の周縁１５１に近接した状態で配置される。なお、「近接」が示す意味に関しては、上記した本実施形態の基本例の場合と同様である。
【００５８】
更に、内設部１１２は、外側部１１１と台座部１５０との間に形成される間隙内に着脱可能な状態で設置されることが好ましい。着脱可能な内設部１１２を用いることによって、既設の納骨室に対し、本変形例に係る納骨室１０’への改造・改変を容易に施すことができる。また、内設部１１２を着脱可能（取り外し可能）に設置することで、例えば、底壁１２０、回転支持手段１２１、台座部１５０など、納骨室１０’内に配設される部材に破損等不具合が生じた場合も、これらの部材を納骨室外に容易に取り出すことができる。これにより、上記部材の修理、交換等の作業を容易に行うことができる。
【００５９】
具体的には、上記の台座部１５０及び回転支持手段１２１を備える底壁１２０の作製と納骨室内への配置が整えば、本変形例に係る納骨室１０’を実現するための作業は、外側部１１１と台座部周縁１５１との間の間隙に内設部１１２を嵌め込むのみである。従って、簡易な作業工程によって既設の納骨室を本変形例のような形態に改造することができる。
【符号の説明】
【００６０】
１        墓構造
１０      納骨室（基本例）
１０’    納骨室（変形例）
１１０    側周壁
１１０ａ  側周壁の外側面
１１０ｂ  側周壁の内側面
１１１    外側部
１１１ａ  外側部の前端部
１１２    内設部
１２０    底壁
１２１    回転支持手段
１２１１  溝
１２１２  ボール部
１３０    前壁（閉塞部）
１４０    上壁
１５０    台座部
１５１    台座部の周縁
１５２    仕切り部
２０      墓碑部
３０      墓碑部用台石
４０      花立部
５０      香炉部
６０      遺骨収納体
【図１】
2018119384.tif 000003
【図２】
2018119384.tif 000004
【図３】
2018119384.tif 000005
【図４】
2018119384.tif 000006
【図５】
2018119384.tif 000007
【図６】
2018119384.tif 000008
【図７】
2018119384.tif 000009